(57)【要約】【課題】２軸の電気回転構造の提供。【解決手段】本考案は２軸の電気回転構造を具える携帯式マルチメディアプレーヤーに関するものである。それは１枚のパネル、一つのベース及びそのパネルとベースを結合する２軸電気回転構造を含むものである。この２軸電気回転構造に第一回転構造及び第二回転構造を含んで、それぞれパネルの水平及び仰向き、俯きの回転をコントロールする。【選択図】図１
0003127453.tif 000002
【実用新案登録請求の範囲】
【請求項１】
一つの２軸電気回転構造に関するものであり、当該２軸電気回転構造は一つの第一回転構造、第二回転構造を包含する。該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含する。該第一水平ギアの直径は同軸の第二水平ギアより大きい。
該水平駆動モーターの回転軸に１本の回転軸ウォームを具えることにより、第一水平ギアを駆動すると同時に、同軸の第二水平ギアと第三水平ギアをも連動する。該第二軸回転構造は、一つの仰向き、俯き駆動モーター、一つの仰向き、俯きギア棒及び一つの傾斜ギア棒を包含する。該仰向き、俯きギア棒の両端に複数個のパネル固定構造を具えることによりパネルを固定する。
該傾斜ギア棒の上に同軸同方向の傾斜ギアを具えることにより、仰向き、俯き駆動モーターの一つの回転軸ウォームと結合する。又、一つの傾斜ウォームを具えることにより、その仰向き、俯きギア棒の一つの仰向き、俯きギアと結合する。
一つのギア支え構造を収納する中空円柱状の受け構造があり、該受け構造はベースの固定板に固定されて回転する。その下方に一つの受けギアを備えることにより、第三水平ギアと結合する。該ギアセットの支え構造は、垂直で受け構造の中空円柱状の中に固定する。又、該ギアセットの支え構造の垂直壁は更に第一軸穴、第一傾斜軸支え、及び第二傾斜軸支えを包含する。第一軸穴は仰向き、俯き駆動モーターの回転軸を収納する。
第一軸穴の上方に第二軸穴を具えることにより、仰向き、俯きギア棒を収納し、第一傾斜軸支え、第二傾斜軸支えは傾斜ギア棒を収納することができる。
【請求項２】
請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護する。
【請求項３】
請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護する。
【請求項４】
請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができる。
【請求項５】
請求項１に記載した２軸電気回転構造において、そのうち、上述のパネル及びベースは携帯式マルチメディアプレーヤーのパネルとベースである。
【請求項６】
請求項５に記載した２軸電気回転構造において、そのうち、上述の携帯式マルチメディアプレーヤーに一つのマグネット変位装置を包含するので、マグネットの吸引力で上述パネルとベースを固定する。
【請求項７】
２軸の電気回転構造を具える携帯式マルチメディアプレーヤーに関するものであり、該２軸の電気回転構造を具える携帯式マルチメディアプレーヤーに１枚のパネル、一つのベース及び該パネルとベースを結合する２軸電気回転構造を包含する。当該２軸電気回転構造は一つの第一回転構造、第二回転構造を包含する。該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含む。その第一水平ギアの直径は同軸の第二水平ギアより大きい。
該水平駆動モーターの回転軸に１本の回転軸ウォームを持つことにより、第一水平ギアを駆動すると同時に、同軸の第二水平ギアと第三水平ギアをも連動する。該第二軸回転構造は、一つの仰向き、俯き駆動モーター、一つの仰向き、俯きギア棒及び一つの傾斜ギア棒を包含する。該仰向き、俯きギア棒の両端に複数個のパネル固定構造を具えることによりパネルを固定する。
該傾斜ギア棒の上に同軸同方向の傾斜ギアを具えることにより、仰向き、俯き駆動モーターの一つの回転軸ウォームと結合する。又、一つの傾斜ウォームを具えることにより、その仰向き、俯きギア棒の一つの仰向き、俯きギアと結合する。
一つのギア支え構造を収納する中空円柱状の受け構造があり、該受け構造はベースの固定板に固定されて回転する。その下方に一つの受けギアを備えることにより、第三水平ギアと結合する。該ギアセットの支え構造は、垂直で受け構造の中空円柱状の中に固定する。又、該ギアセットの支え構造の垂直壁は更に第一軸穴、第一傾斜軸支え、及び第二傾斜軸支えを包含する。第一軸穴は仰向き、俯き駆動モーターの回転軸を収納する。
第一軸穴の上方に第二軸穴を具えることにより、仰向き、俯きギア棒を収納し、第一傾斜軸支え、第二傾斜軸支えは傾斜ギア棒を収納することができる。
【請求項８】
請求項７に記載した２軸の電気回転構造を具える携帯式マルチメディアプレーヤーにおいて、一つのマグネット変位装置を包含するので、マグネットの吸引力で上述パネルとベースを固定する。
【請求項９】
請求項７に記載した2軸の電気回転構造を具える携帯式マルチメディアプレーヤーにおいて、更に一つのテレビ受信モジュールを包含するので、無線テレビ信号を受信してから放送する。
【請求項１０】
請求項７に記載した２軸の電気回転構造を具える携帯式マルチメディアプレーヤーにおいて、更に一定の時間を置くと、自動に携帯式マルチメディアプレーヤーの電源をオフする一つの省エネルギーを包含する。
【考案の詳細な説明】
【技術分野】
【０００１】
本考案は回転構造に関するものであり、特に携帯式マルチメディアプレーヤーの２軸電気回転構造を指す。
【背景技術】
【０００２】
携帯式マルチメディアプレーヤー（Ｐｏｒｔａｂｌｅ  Ｍｕｌｔｉｍｅｄｉａ  Ｐｌａｙｅｒ）は、近年、とても流行する消耗性電子製品である。それは体積が小さくて携帯しやすい特性を持つので、使用者がいつでもマルチメディアの内容を見ることができる。従来の携帯式コンピューターと同じように、携帯式マルチメディアプレーヤーは殆ど２枚を折畳むような設計を用いる。主な電子パーツはすべてベースに置いて、ディスプレーは折畳んで開けるパネルに置く。また、一つの機械構造を使って、ベースとパネルを結合する。
【０００３】
従来の携帯式マルチメディアプレーヤー又は携帯式コンピューターを収納する場合、ディスプレー及びベースにあるベースの操作インタフェースを保護するため、上述のパネル及びベースは折畳む状態を呈するので、マルチメディアを見る時、上述のパネル及びベースは仰向き、俯きの角度を呈する。又、使用者がマルチメディアプレーヤーを見る時の角度を調整しやすくするため、ある製品の機械構造はパネルを左右に回れるように設計される。従来の製品のパネル及びベースの機械構造は、殆ど使用者によって両者の間の仰向き、俯きの角度を調整するが、電気で機械構造を駆動する製品がとても少ない理由は、使用者と携帯式マルチメディアプレーヤーの距離が非常に近いので、直接手動でその仰向き、俯きの角度を調整しても便利である。
【０００４】
携帯式マルチメディアプレーヤーを車両の上に設けることにより、個人/乗客の娯楽として使用することができる。車両のフレームに取り付ける時、乗客と携帯式マルチメディアプレーヤーの距離が遠すぎる可能があるし、且つ車両を移動する場合の揺れにより、乗客がディスプレーのインタフェース方向及び操作インタフェースを調整しにくい。リモートコントロールの方式で上述の問題を解決する場合、パネルの仰向き、俯きの角度及び左右の偏移角度を調整しやすいため、電気駆動の機械構造を用いることが必要である。ところが、携帯式マルチメディアプレーヤーの体積が元々制限されるので、電気で上述の機械構造を駆動するのは一大挑戦である。そのため、本考案の目的は、２軸の電気回転構造を提供することにより、上述の問題を解決するものである。
【考案の開示】
【考案が解決しようとする課題】
【０００５】
上述の考案背景は産業上の利益を求めるのである。本考案は、２軸電気回転構造によって、上述の従来の携帯式マルチメディアプレーヤーが達成できない目標を解決するものを提供する。
【０００６】
本考案の一つの目的は、２軸の電気回転構造を具える携帯式マルチメディアプレーヤーを提供するものである。該２軸の電気回転構造を具える携帯式マルチメディアプレーヤーに1枚のパネル、一つのベース及び該パネルとベースを結合する２軸電気回転構造を包含する。当該２軸電気回転構造は一つの第一回転構造、第二回転構造を包含する。該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含む。その第一水平ギアの直径は同軸の第二水平ギアより大きい。
該水平駆動モーターの回転軸に１本の回転軸ウォームを持つことにより、第一水平ギアを駆動すると同時に、同軸の第二水平ギアと第三水平ギアをも連動する。該第二軸回転構造は、一つの仰向き、俯き駆動モーター、一つの仰向き、俯きギア棒及び一つの傾斜ギア棒を包含する。該仰向き、俯きギア棒の両端に複数個のパネル固定構造を具えることによりパネルを固定する。
該傾斜ギア棒の上に同軸同方向の傾斜ギアを具えることにより、仰向き、俯き駆動モーターの一つの回転軸ウォームと結合する。又、一つの傾斜ウォームを具えることにより、その仰向き、俯きギア棒の一つの仰向き、俯きギアと結合する。
一つのギア支え構造を収納する中空円柱状の受け構造があり、該受け構造はベースの固定板に固定されて回転する。その下方に一つの受けギアを備えることにより、第三水平ギアと結合する。該ギアセットの支え構造は、垂直で受け構造の中空円柱状の中に固定する。又、該ギアセットの支え構造の垂直壁は更に第一軸穴、第一傾斜軸支え、及び第二傾斜軸支えを包含する。第一軸穴は仰向き、俯き駆動モーターの回転軸を収納する。
第一軸穴の上方に第二軸穴を具えることにより、仰向き、俯きギア棒を収納し、第一傾斜軸支え、第二傾斜軸支えは傾斜ギア棒を収納することができる。
【課題を解決するための手段】
【０００７】
請求項１の考案は、一つの２軸電気回転構造に関するものである。当該２軸電気回転構造は一つの第一回転構造、第二回転構造を包含する。該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含する。該第一水平ギアの直径は同軸の第二水平ギアより大きい。
該水平駆動モーターの回転軸に１本の回転軸ウォームを具えることにより、第一水平ギアを駆動すると同時に、同軸の第二水平ギアと第三水平ギアをも連動する。該第二軸回転構造は、一つの仰向き、俯き駆動モーター、一つの仰向き、俯きギア棒及び一つの傾斜ギア棒を包含する。該仰向き、俯きギア棒の両端に複数個のパネル固定構造を具えることによりパネルを固定する。
該傾斜ギア棒の上に同軸同方向の傾斜ギアを具えることにより、仰向き、俯き駆動モーターの一つの回転軸ウォームと結合する。又、一つの傾斜ウォームを具えることにより、その仰向き、俯きギア棒の一つの仰向き、俯きギアと結合する。
一つのギア支え構造を収納する中空円柱状の受け構造があり、該受け構造はベースの固定板に固定されて回転する。その下方に一つの受けギアを備えることにより、第三水平ギアと結合する。該ギアセットの支え構造は、垂直で受け構造の中空円柱状の中に固定する。又、該ギアセットの支え構造の垂直壁は更に第一軸穴、第一傾斜軸支え、及び第二傾斜軸支えを包含する。第一軸穴は仰向き、俯き駆動モーターの回転軸を収納する。
第一軸穴の上方に第二軸穴を具えることにより、仰向き、俯きギア棒を収納し、第一傾斜軸支え、第二傾斜軸支えは傾斜ギア棒を収納することができる。
請求項２の考案は、請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護する。
請求項３の考案は、請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護する。
請求項４の考案は、請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができる。
請求項５の考案は、請求項１に記載した２軸電気回転構造において、そのうち、上述のパネル及びベースは携帯式マルチメディアプレーヤーのパネルとベースである。
請求項６の考案は、請求項５に記載した２軸電気回転構造において、そのうち、上述の携帯式マルチメディアプレーヤーに一つのマグネット変位装置を包含するので、マグネットの吸引力で上述パネルとベースを固定する。
請求項７の考案は、２軸の電気回転構造を具える携帯式マルチメディアプレーヤーに関するものであり、該２軸の電気回転構造を具える携帯式マルチメディアプレーヤーに1枚のパネル、一つのベース及び該パネルとベースを結合する２軸電気回転構造を包含する。当該２軸電気回転構造は一つの第一回転構造、第二回転構造を包含する。該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含む。その第一水平ギアの直径は同軸の第二水平ギアより大きい。
該水平駆動モーターの回転軸に１本の回転軸ウォームを持つことにより、第一水平ギアを駆動すると同時に、同軸の第二水平ギアと第三水平ギアをも連動する。該第二軸回転構造は、一つの仰向き、俯き駆動モーター、一つの仰向き、俯きギア棒及び一つの傾斜ギア棒を包含する。該仰向き、俯きギア棒の両端に複数個のパネル固定構造を具えることによりパネルを固定する。
該傾斜ギア棒の上に同軸同方向の傾斜ギアを具えることにより、仰向き、俯き駆動モーターの一つの回転軸ウォームと結合する。又、一つの傾斜ウォームを具えることにより、その仰向き、俯きギア棒の一つの仰向き、俯きギアと結合する。
一つのギア支え構造を収納する中空円柱状の受け構造があり、該受け構造はベースの固定板に固定されて回転する。その下方に一つの受けギアを備えることにより、第三水平ギアと結合する。該ギアセットの支え構造は、垂直で受け構造の中空円柱状の中に固定する。又、該ギアセットの支え構造の垂直壁は更に第一軸穴、第一傾斜軸支え、及び第二傾斜軸支えを包含する。第一軸穴は仰向き、俯き駆動モーターの回転軸を収納する。
第一軸穴の上方に第二軸穴を具えることにより、仰向き、俯きギア棒を収納し、第一傾斜軸支え、第二傾斜軸支えは傾斜ギア棒を収納することができる。
請求項８の考案は、請求項７に記載した２軸の電気回転構造を具える携帯式マルチメディアプレーヤーにおいて、一つのマグネット変位装置を包含するので、マグネットの吸引力で上述パネルとベースを固定する。
請求項９の考案は、請求項７に記載した２軸の電気回転構造を具える携帯式マルチメディアプレーヤーにおいて、更に一つのテレビ受信モジュールを包含するので、無線テレビ信号を受信してから放送する。
請求項１０の考案は、請求項７に記載した２軸の電気回転構造を具える携帯式マルチメディアプレーヤーにおいて、更に一定の時間を置くと、自動に携帯式マルチメディアプレーヤーの電源をオフする一つの省エネルギーを包含する。
【考案の効果】
【０００８】
本考案は２軸の電気回転構造を具える携帯式マルチメディアプレーヤーであり、２軸電気回転構造によって、従来の携帯式マルチメディアプレーヤーが達成できない目標を解決できるのである。
【考案を実施するための最良の形態】
【０００９】
本考案の目的は２軸の電気回転構造を研究開発するので、徹底的に本考案を了解するため、下記で詳しいステップ及びその構成を説明する。更に、本考案の実施は電気回転構造の技術者がよく知っている特殊な細かい事柄に限定されることではない。又、本考案に必要ではない制限を付けないように、皆が周知する構成又はステップを本考案の詳しい説明に記載しない。本考案のベター実施状態を下記で詳しく説明するほか、本考案を更に広げてその他の実施状態を施行することもできる。更に、本考案は特許請求の範囲を準ずるので、本考案の範囲を制限しないのである。
【００１０】
図１から図３までを参照されたい。それは２軸の電気回転構造１００の説明図である。その中、上述の２軸の電気回転構造１００は、第一回転構造１２０、第二回転構造１４０を包含する。該第一回転構造１２０は２軸の電気回転構造１００をベースに固定する１枚のベースの固定板１２２、一つのベースの固定板１２２に固定する水平駆動モーター１２４、同軸同方向の第一水平ギア１２６、第二水平ギア１２８、及び該第二水平ギア１２８を噛み合わせる第三水平ギア１３０を包含する。その中、上述の第一水平ギア１２６の直径は同軸の第二水平ギア１２８より大きい。該第一水平ギア１２６及び該第二水平ギア１２８は、ダブルステップギヤを使っても良いのである。又、該水平の駆動モーター１２４の回転軸にもウォーム１２５を１本具えることにより、上述の第一水平ギア１２６を駆動する。それによって、第一水平ギア１２６と同軸の第二水平ギア１２８より、上述の第三水平ギア１３０を連動することができる。
【００１１】
図２及び図３の通り、上述の第二軸回転構造１４０は、ギアの支え構造１４４を収納するための中空円柱状の受け構造１４２、一つの仰向き、俯き駆動モーター１５０、一つの傾斜ギア棒１５２及び一つの仰向き、俯きギア棒１５８を包含する。その中、上述のギアセットの支え構造１４４を受け構造１４２の中空の円柱状に垂直で固定する。更に、その垂直壁に一つの第一軸穴１４５を包含することで、仰向き、俯き駆動モーター１５０の回転軸を収納する。又、この第一軸穴１４５の上方に第二軸穴１４６を具えることで、仰向き、俯きギア棒１５８、及び第一傾斜軸支え１４７、第二傾斜軸支え１４８を収納するので、上述の傾斜ギア棒を収納することができる。この傾斜ギア棒１５２の上に同軸同方向の傾斜ギア１５４を具えることで、仰向き、俯き駆動モーター１５０の一つの回転軸ウォーム１５１と結合する。又、一つの傾斜ウォーム１５６を具えることで、上述の仰向き、俯きギア棒１５８の一つの仰向き、俯きギア１６０と結合する。その中、上述の傾斜ギア１５４の直径は傾斜ウォーム１５６の直径より大きくても良いのである。更に、上述の仰向き、俯きギア棒１５８の両端に複数個のパネルを固定する構造１６２を具えることにより、パネルを固定する。この仰向き、俯き駆動モーター１５０の回転軸ウォーム１５１で上述の傾斜ギア棒１５２の傾斜ギア１５４を駆動することができる。それによって、同軸同方向の傾斜ウォーム１５６より上述の仰向き、俯きギア１６０を駆動することができるので、上述の仰向き、俯きギア棒１５８よりパネルを連動して、仰向き、俯きで回転することができる。
【００１２】
図１の通り、上述の受け構造１４２はベースの固定板１２２の上に固定する状態で回転する。その下方に一つの受けギア１４３を具えることで、上述の第三水平ギア１３０に結合する。この水平の駆動モーター１２４をスタートする場合、上述の受け構造１４２を駆動して回転することができる。上述の第一水平ギア１２６と第二水平ギア１２８の間に、及び上述の複数個のパネルを固定する構造１６２と仰向き、俯きギア棒１５８の間に摩擦力結合装置を具えることで、使用者が手動でパネルを回転させる場合、その上にかかる力がこの摩擦力結合装置で供給する摩擦力より大きくすると、この第一水平ギア１２６と第二水平ギア１２８の間の結合関係を失うことにより、ギア及びフォームの間の結合関係を保護する。又、使用者が手動で仰向き、俯きパネルを操作する場合、その上にかかる力がこの摩擦力結合装置で供給する摩擦力より大きくすると、上述のパネルを固定する構造１６２と仰向き、俯きギア棒１５８の間の結合関係を失うことにより、ギア及びフォームの間の結合関係を保護する可能もある。
【００１３】
この実施状態の中に、上述の第一回転構造１２０と第二回転構造１４０は、精密のギア及びウォームの組合によって、トルクを高度に通して拡大した後、そのパネルを回転及び仰向き、俯きを行わせる。又、この実施状態の例の一つに、上述の水平の駆動モーター１２４及び仰向き、俯き駆動モーター１５０の出力トルクを約２０ｇｗ‐ｃｍから千倍までの２０ｋｗｇ−ｃｍに拡大することができる。この実施状態の別一つの例に、上述の水平の駆動モーター１２４及び仰向き、俯き駆動モーター１５０は、低い回転速度になる場合、高いトルクを生じる直流電気モーターであるので、直流電気の方向に従って右回り、左回りを行うことで、パネルの水平回転角度が２２５度に、仰向き、俯き角度が１８０度に達成することができる。
【００１４】
図４を参照されたい。それは本考案の実施状態の一つとしての携帯式マルチメディアプレーヤー２００の説明図である。この携帯式マルチメディアプレーヤー２００に１枚のパネル２１０、一つのベース２２０及び一つの２軸電気回転構造２３０を含むことで、上述のパネル２１０及びベース２２０を結合する。図５をご参照ください。このパネル２１０は、２軸電気回転構造２３０によって仰向き、俯き制御を行える。図６をご参照ください。このパネル２１０は、２軸電気回転構造２３０によって回転制御を行える。
【００１５】
図７をご参照されたい。この携帯式マルチメディアプレーヤー２００に隠し式シーディーロム２４０、マグネット変位装置２４５、タッチスクリーン２５０、タッチスクリーン・リモートコントロールモジュール２５５、スピーカー２６０、無線電話モジュール２６５、無線インタネットモジュール２７０、無線受信モジュール２７５、省エネルギーモジュール２８０をそれぞれ一つ含む。その中、上述のタッチスクリーン２５０は、感知電荷で物体がパネルの表面に止まっているかどうかを探知できる。又、その探知した位置の情報をマイクロプロセッサー２９０に知らせて、このマイクロプロセッサー２９０によって、使用者の執行したい機能を執行できる。従来の押すキーをこのタッチスクリーン２５０に変更することができるし、これを使ったら、押すキーの大きさ、耐圧性及び信頼性などを考慮することが必要ではない。上述のタッチスクリーン・リモートコントロールモジュール２５５は、同一の原理を利用して、使用者が遠距離でこの携帯式マルチメディアプレーヤー２００を制御することができる。
【００１６】
上述スピーカー２６０で音を無線電波の方式で一般のラジオに出力することができる。例えば、車両の中に使用する場合、音を車内の音響システムで放送させることで、もっと良い音響効果が得られる。又、上述の無線電話モジュール２６５を利用して、この携帯式マルチメディアプレーヤー２００を無線電話として使用することができる。例えば、２Ｇ又は３Ｇの電話をダイヤルする場合、３Ｇの映像電話ミーティングに使う場合、更に無線インタネットモジュール２７０を利用して、携帯式マルチメディアプレーヤー２００の上に無線でインタネットとアクセス機能を持つこともできる。更に、上述の無線受信モジュール２７５を利用して、従来のアナログ又はデジタルテレビ信号を受信できるし、デジタルラジオの信号を受信してこの携帯式マルチメディアプレーヤー２００に放送することもできる。上述の省エネルギーモジュール２８０を利用して、携帯式マルチメディアプレーヤー２００を一定の時間に置いたら、自動に電源をオフするので、バッテリーのエネルギーを節約することができる。
【００１７】
図８をご参照ください。それは図７の隠し式シーディーロム(ＣＤ−ＲＯＭ) ２４０のリフトアップ構造３００の説明図である。この隠し式シーディーロム２４０は吸入式のシーティーロムであり、その吸入口を機械本体の中に隠すのである。使用者がＣＤを交換又は挿入する場合、このリフトアップ装置３００で隠し式シーディーロム２４０の吸入口をリフトアップさせることができる。このリフトアップ装置３００に電気モーター３１０、ギアセット３２０及び上述の隠し式シーディーロム２４０を受けるための機械フレーム３３０をそれぞれ一つ含む。このギアセット３２０を使って、電気モーター３１０のトルクを拡大することで、この隠し式シーディーロム２４０をリフトアップ又は隠すことができる。
【００１８】
図８の通り、この機械フレーム３３０を機械フレームの回転軸３３２に沿って、仰向き、俯きの回転を行い、この機械フレーム３３０のリフトアップの端に横レバー３３４を持つことで、上述のギアセット３２０に接続する。この実施状態の中に、このギアセット３２０に同軸同方向の第一リフトアップギア３２１、第二リフトアップギア３２２、第二リフトアップギア３２２を噛み合わせる第三リフトアップギア３２３、第三リフトアップギア３２３を噛み合わせる第四リフトアップギア３２４、第四リフトアップギア３２４と同軸同方向のウォーム３２５、このウォーム３２５を噛み合わせる第五リフトアップギア３２６、この第五リフトアップギア３２６の回転軸に結合する回転リフトアップ構造３２７をそれぞれ一つ含む。上述の横レバー３３４がこの回転リフトアップ構造３２７の長方形空洞３２８に拘束され、上述の機械フレーム３３０をリフトアップする又は平で置く場合、この横レバー３３４を長方形空洞３２８の中に自由に移動できる。又、上述の第一リフトアップギア３２１の直径は第二リフトアップギア３２２より大きいことで、この電気モーター３１０での伝動軸ウォーム３１２から生じるトルクを拡大することができる。
【００１９】
図９をご参照ください。それは隠し式シーディーロム（ＣＤ−ＲＯＭ）のリフトアップ構造２４０の説明図である。この実施状態の中に、上述の第五リフトアップギア３２６の外輪及び軸センターの間に一つの摩擦力結合装置を持つので、使用者が手動で力をかけて、リフトアップされた隠し式シーディーロム２４０を押す場合、この押す力がこの摩擦力結合装置の摩擦力を克服できる場合、上述の第五リフトアップギア３２６の外輪及び軸センターの間に結合関係がないので、ギアセット３２０の中でのウォーム及びギアの組み合わせることを損害しないのである。
【００２０】
図１０をご参照されたい。それはこの実施状態によるマグネット変位装置４００の説明図である。この実施状態の中でのパネル２１０及びベース２２０は、一つパネルのマグネットセット４１０及び一つのベースのマグネットセット４２０を相互に吸い付けることで、その開口端を固定するが、上述の２軸の電気回転構造は２セットのパネルのマグネットセット４１０及び４２０の吸引力を克服してパネル２１０を開くことができないので、まず、マグネット変位装置４００を利用して、２セットのパネルのマグネットセット４１０及び４２０をずらしておくことで、その間での吸引力を除去してから、パネル２１０を開くことができる。この実施状態の中に、上述のマグネット変位装置４００に、電気モーター４３０、ギアセット４４０、及び上述のベースのマグネットセット４２０を結合するラック４５０をそれぞれ一つ包含する。
【００２１】
図１０の通り、このギアセット４４０に同軸同方向の第一変位ギア４４２及び第二変位ギア４４４をそれぞれ一つ包含する。この第一変位ギア４４２を上述の電気モーター４３０での一つの伝動軸ウォーム４３２に噛み合っている。更にその直径は第二変位ギア４４４より大きいことで、トルクを拡大する。この第一変位ギア４４２及び第二変位ギア４４４の間に一つの一つの摩擦力結合装置を具えることで、使用者が手動で上述のベースのマグネットセット４２０を移動する場合、この力が摩擦力結合装置の摩擦力を克服できると、上述の第一変位ギア４４２及び第二変位ギア４４４の間に結合関係がないので、ギアセット４４０の中でのウォーム及びギアの組み合わせることを損害しないのである。図１１をご参照されたい。それは本実施状態によるマグネット変位装置４００の説明図である。
【００２２】
上述の実施状態の通り、本考案にはたくさんの修正及び差異があるので、添付するパテント請求の範囲で理解することが必要である。又、上述は本考案のより良い実施状態であるだけで、それによって本考案の特許請求の範囲を制限することではないため、本考案に記載される精神に離れていない範囲に行う同一効果の変更又は修正は、すべて下記のパテント請求の範囲に含むものである。
【図面の簡単な説明】
【００２３】
【図１】一つの２軸電気回転構造の説明図である。
【図２】一つの２軸電気回転構造の説明図である。
【図３】一つの２軸電気回転構造の説明図である。
【図４】本考案の実施状態の一つとしての携帯式マルチメディアプレーヤーの説明図である。
【図５】本考案の実施状態の一つとしての携帯式マルチメディアプレーヤーの説明図である。
【図６】本考案の実施状態の一つとしての携帯式マルチメディアプレーヤーの説明図である。
【図７】本考案の実施状態の一つとしての携帯式マルチメディアプレーヤーの説明図である。
【図８】図７の隠し式シーディーロム（ＣＤ−ＲＯＭ）のリフトアップ構造の説明図である。
【図９】隠し式シーディーロム（ＣＤ−ＲＯＭ）のリフトアップ構造の説明図である。
【図１０】この実施状態によるマグネット変位装置の説明図である。
【図１１】本実施状態によるマグネット変位装置の説明図である。
【符号の説明】
【００２４】
１００  ２軸の電気回転構造
１２０  第一回転構造
１２２  ベースの固定板
１２４  水平の駆動モーター
１２５  ウォーム
１２６  第一水平ギア
１２８  第二水平ギア
１３０  第三水平ギア
１４０  第二回転構造
１４２  受け構造
１４３  受けギア
１４４  ギアセットの支え構造
１４５  第一軸穴
１４６  第二軸穴
１４７  第一傾斜軸支え
１４８  第二傾斜軸支え
１５０  仰向き、俯き駆動モーター
１５１  回転軸ウォーム
１５２  傾斜ギア棒
１５４  傾斜ギア
１５６  傾斜ウォーム
１５８  仰向き、俯きギア棒
１６０  仰向き、俯きギア
１６２  パネルを固定する構造
２００  携帯式マルチメディアプレーヤー
２１０  パネル
２２０  ベース
２３０  ２軸電気回転構造
２４０  隠し式シーディーロム
２４５  マグネット変位装置
２５０  タッチスクリーン
２５５  タッチスクリーン・リモートコントロールモジュール
２６０  スピーカー
２６５  無線電話モジュール
２７０  無線インタネットモジュール
２７５  無線受信モジュール
２８０  省エネルギーモジュール
２９０  マイクロプロセッサー
３００  リフトアップ装置
３１０  電気モーター
３２０  ギアセット
３２１  第一リフトアップギア
３２２  第二リフトアップギア
３２３  第三リフトアップギア
３２４  第四リフトアップギア
３２５  ウォーム
３２６  第五リフトアップギア
３２７  回転リフトアップ構造
３２８  長方形空洞
３３０  機械フレーム
３３２  機械フレームの回転軸
３３４  横レバー
４００  マグネット変位装置
４１０  パネルのマグネットセット
４２０  ベースのマグネットセット
４３０  電気モーター
４３２  伝動軸のウォーム
４４０  ギアセット
４４２  第一変位ギア
４４４  第二変位ギア
４４５  ラック
【図１】
0003127453.tif 000003
【図２】
0003127453.tif 000004
【図３】
0003127453.tif 000005
【図４】
0003127453.tif 000006
【図５】
0003127453.tif 000007
【図６】
0003127453.tif 000008
【図７】
0003127453.tif 000009
【図８】
0003127453.tif 000010
【図９】
0003127453.tif 000011
【図１０】
0003127453.tif 000012
【図１１】
0003127453.tif 000013
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
一つの２軸電気回転構造に関するものであり、当該２軸電気回転構造は一つの第一回転構造、第二回転構造を包含し、該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含し、該第一水平ギアの直径は同軸の第二水平ギアより大きく、
該水平駆動モーターの回転軸に１本の回転軸ウォームを具えることにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造。
【請求項２】
請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護することを特徴とする２軸の電気回転構造。
【請求項３】
請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護することを特徴とする２軸の電気回転構造。
【請求項４】
請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができることを特徴とする２軸の電気回転構造。
【請求項５】
請求項１に記載した２軸電気回転構造において、そのうち、上述のパネル及びベースは携帯式マルチメディアプレーヤーのパネルとベースであることを特徴とする２軸の電気回転構造。
【請求項６】
請求項５に記載した２軸電気回転構造において、そのうち、上述の携帯式マルチメディアプレーヤーに一つのマグレット変位装置を包含するので、マグネットの吸引力で上述パネルとベースを固定することを特徴とする２軸の電気回転構造。
【請求項７】
２軸の電気回転構造を具える携帯式マルチメディアプレーヤーに関するものであり、該２軸の電気回転構造を具える携帯式マルチメディアプレーヤーに１枚のパネル、一つのベース及び該パネルとベースを結合する２軸電気回転構造を包含し、前記２軸電気回転構造は一つの第一回転構造、第二回転構造を包含し、該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含み、その第一水平ギアの直径は同軸の第二水平ギアより大きく、
該水平駆動モーターの回転軸に１本の回転軸ウォームを持つことにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造。
【請求項８】
請求項７に記載した２軸の電気回転構造を具える携帯式マルチメディアプレーヤーにおいて、一つのマグレット変位装置を包含するので、マグネットの吸引力で上述パネルとベースを固定することを特徴とする２軸の電気回転構造。
【請求項９】
請求項７に記載した2軸の電気回転構造を具える携帯式マルチメディアプレーヤーにおいて、更に一つのテレビ受信モジュールを包含するので、無線テレビ信号を受信してから放送することを特徴とする２軸の電気回転構造。
【請求項１０】
請求項７に記載した２軸の電気回転構造を具える携帯式マルチメディアプレーヤーにおいて、更に一定の時間を置くと、自動に携帯式マルチメディアプレーヤーの電源をオフする一つの省エネルギーを包含することを特徴とする２軸の電気回転構造。
【手続補正２】
【補正対象書類名】明細書
【補正対象項目名】０００７
【補正方法】変更
【補正の内容】
【０００７】
請求項１の考案は、一つの２軸電気回転構造に関するものであり、当該２軸電気回転構造は一つの第一回転構造、第二回転構造を包含し、該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含し、該第一水平ギアの直径は同軸の第二水平ギアより大きく、
該水平駆動モーターの回転軸に１本の回転軸ウォームを具えることにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造としている。
請求項２の考案は、請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護することを特徴とする２軸の電気回転構造としている。
請求項３の考案は、請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護することを特徴とする２軸の電気回転構造としている。
請求項４の考案は、請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができることを特徴とする２軸の電気回転構造としている。
請求項５の考案は、請求項１に記載した２軸電気回転構造において、そのうち、上述のパネル及びベースは携帯式マルチメディアプレーヤーのパネルとベースであることを特徴とする２軸の電気回転構造としている。
請求項６の考案は、請求項５に記載した２軸電気回転構造において、そのうち、上述の携帯式マルチメディアプレーヤーに一つのマグレット変位装置を包含するので、マグネットの吸引力で上述パネルとベースを固定することを特徴とする２軸の電気回転構造としている。
請求項７の考案は、２軸の電気回転構造を具える携帯式マルチメディアプレーヤーに関するものであり、該２軸の電気回転構造を具える携帯式マルチメディアプレーヤーに1枚のパネル、一つのベース及び該パネルとベースを結合する２軸電気回転構造を包含し、前記２軸電気回転構造は一つの第一回転構造、第二回転構造を包含し、該第一回転構造に２軸の電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含み、その第一水平ギアの直径は同軸の第二水平ギアより大きく、
該水平駆動モーターの回転軸に１本の回転軸ウォームを持つことにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造としている。
請求項８の考案は、請求項７に記載した２軸の電気回転構造を具える携帯式マルチメディアプレーヤーにおいて、一つのマグレット変位装置を包含するので、マグネットの吸引力で上述パネルとベースを固定することを特徴とする２軸の電気回転構造としている。
請求項９の考案は、請求項７に記載した２軸の電気回転構造を具える携帯式マルチメディアプレーヤーにおいて、更に一つのテレビ受信モジュールを包含するので、無線テレビ信号を受信してから放送することを特徴とする２軸の電気回転構造としている。
請求項１０の考案は、請求項７に記載した２軸の電気回転構造を具える携帯式マルチメディアプレーヤーにおいて、更に一定の時間を置くと、自動に携帯式マルチメディアプレーヤーの電源をオフする一つの省エネルギーを包含することを特徴とする２軸の電気回転構造としている。
【手続補正書】
【提出日】平成18年3月9日(2006.3.9)
【手続補正１】
【補正対象書類名】実用新案登録請求の範囲
【補正対象項目名】全文
【補正方法】変更
【補正の内容】
【実用新案登録請求の範囲】
【請求項１】
一つの２軸電気回転構造に関するものであり、当該２軸電気回転構造は一つの第一回転構造、第二回転構造を包含し、該第一回転構造に２軸電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含し、該第一水平ギアの直径は同軸の第二水平ギアより大きく、
該水平駆動モーターの回転軸に１本の回転軸ウォームを具えることにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造。
【請求項２】
請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護することを特徴とする２軸の電気回転構造。
【請求項３】
請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護することを特徴とする２軸の電気回転構造。
【請求項４】
請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができることを特徴とする２軸の電気回転構造。
【請求項５】
請求項１に記載した２軸電気回転構造において、そのうち、上述のパネル及びベースは携帯式マルチメディアプレーヤーのパネルとベースであることを特徴とする２軸の電気回転構造。
【請求項６】
請求項５に記載した２軸電気回転構造において、そのうち、上述の携帯式マルチメディアプレーヤーに一つのマグレット変位装置を包含するので、マグネットの吸引力で上述パネルとベースを固定することを特徴とする２軸の電気回転構造。
【請求項７】
２軸電気回転構造を具える携帯式マルチメディアプレーヤーに関するものであり、該２軸電気回転構造を具える携帯式マルチメディアプレーヤーに1枚のパネル、一つのベース及び該パネルとベースを結合する２軸電気回転構造を包含し、前記２軸電気回転構造は一つの第一回転構造、第二回転構造を包含し、該第一回転構造に２軸電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含み、その第一水平ギアの直径は同軸の第二水平ギアより大きく、
該水平駆動モーターの回転軸に１本の回転軸ウォームを持つことにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造。
【請求項８】
請求項７に記載した２軸電気回転構造を具える携帯式マルチメディアプレーヤーにおいて、一つのマグレット変位装置を包含するので、マグネットの吸引力で上述パネルとベースを固定することを特徴とする２軸の電気回転構造を具える携帯式マルチメディアプレーヤー。
【請求項９】
請求項７に記載した2軸の電気回転構造を具える携帯式マルチメディアプレーヤーにおいて、更に一つのテレビ受信モジュールを包含するので、無線テレビ信号を受信してから放送することを特徴とする２軸の電気回転構造を具える携帯式マルチメディアプレーヤー。
【請求項１０】
請求項７に記載した２軸電気回転構造を具える携帯式マルチメディアプレーヤーにおいて、更に一定の時間を置くと、自動に携帯式マルチメディアプレーヤーの電源をオフする一つの省エネルギーを包含することを特徴とする２軸の電気回転構造を具える携帯式マルチメディアプレーヤー。
【手続補正２】
【補正対象書類名】明細書
【補正対象項目名】０００７
【補正方法】変更
【補正の内容】
【０００７】
請求項１の考案は一つの２軸電気回転構造に関するものであり、当該２軸電気回転構造は一つの第一回転構造、第二回転構造を包含し、該第一回転構造に２軸電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを包含し、該第一水平ギアの直径は同軸の第二水平ギアより大きく、
該水平駆動モーターの回転軸に１本の回転軸ウォームを具えることにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造としている。
請求項２の考案は、請求項１に記載した２軸電気回転構造において、そのうち、上述の第一水平ギアと第二水平ギアの間に摩擦力結合装置を具え、使用者が手動でパネルを回転させる場合、その上にかかる力がこの摩擦力結合装置で供給する摩擦力より大きくすると、この第一水平ギアと第二水平ギアとの間の結合関係を失うことにより、ギアとフォームとの間の結合関係を保護することを特徴とする２軸の電気回転構造としている。
請求項３の考案は、請求項１に記載した２軸電気回転構造において、そのうち、上述の複数個のパネルを固定する構造とその仰向き、俯きギア棒の間に摩擦力結合装置を具え、使用者が手動でパネルを回転させる場合、その上にかかる力がこの摩擦力結合装置で供給する摩擦力より大きくすると、その複数個のパネルを固定する構造とその仰向き、俯きギア棒との間結合関係を失うことにより、ギアとフォームとの間の結合関係を保護することを特徴とする２軸の電気回転構造としている。
請求項４の考案は、請求項１に記載した２軸電気回転構造において、そのうち、上述の水平の駆動モーター及び仰向き、俯き駆動モーターは、低い回転速度になる場合、高いトルクを生じる直流電気モーターであるので、直流電気の方向に従って、右回り、左回りを行うことで、パネルの水平回転角度が２２５度に、仰向き、俯き角度が１８０度に達成することができることを特徴とする２軸の電気回転構造としている。
請求項５の考案は、請求項１に記載した２軸電気回転構造において、そのうち、上述のパネル及びベースは携帯式マルチメディアプレーヤーのパネルとベースであることを特徴とする２軸の電気回転構造としている。
請求項６の考案は、請求項５に記載した２軸電気回転構造において、そのうち、上述の携帯式マルチメディアプレーヤーに一つのマグレット変位装置を包含するので、マグネットの吸引力で上述パネルとベースを固定することを特徴とする２軸の電気回転構造としている。
請求項７の考案は、２軸電気回転構造を具える携帯式マルチメディアプレーヤーに関するものであり、該２軸電気回転構造を具える携帯式マルチメディアプレーヤーに1枚のパネル、一つのベース及び該パネルとベースを結合する２軸電気回転構造を包含し、前記２軸電気回転構造は一つの第一回転構造、第二回転構造を包含し、該第一回転構造に２軸電気回転構造をベースの上に固定するベース固定板、同軸同方向の第一水平ギア及び第二の水平ギア、第二水平ギアを噛み合わせる第三水平ギア、及びそのベース固定板に固定する水平駆動モーターを含み、その第一水平ギアの直径は同軸の第二水平ギアより大きく、
該水平駆動モーターの回転軸に１本の回転軸ウォームを持つことにより、第一水平ギアを駆動すると同時に、同軸の第二水平ギアと第三水平ギアをも連動し、該第二軸回転構造は、一つの仰向き、俯き駆動モーター、一つの仰向き、俯きギア棒及び一つの傾斜ギア棒を包含し、該仰向き、俯きギア棒の両端に複数個のパネル固定構造を具えることによりパネルを固定し、
該傾斜ギア棒の上に同軸同方向の傾斜ギアを具えることにより、仰向き、俯き駆動モーターの一つの回転軸ウォームと結合し、又、一つの傾斜ウォームを具えることにより、その仰向き、俯きギア棒の一つの仰向き、俯きギアと結合し、
一つのギア支え構造を収納する中空円柱状の受け構造があり、該受け構造はベースの固定板に固定されて回転し、その下方に一つの受けギアを備えることにより、第三水平ギアと結合し、該ギアセットの支え構造は、垂直で受け構造の中空円柱状の中に固定し、又、該ギアセットの支え構造の垂直壁は更に第一軸穴、第一傾斜軸支え、及び第二傾斜軸支えを包含し、第一軸穴は仰向き、俯き駆動モーターの回転軸を収納し、
第一軸穴の上方に第二軸穴を具えることにより、仰向き、俯きギア棒を収納し、第一傾斜軸支え、第二傾斜軸支えは傾斜ギア棒を収納することができることを特徴とする２軸の電気回転構造としている。
請求項８の考案は、請求項７に記載した２軸電気回転構造を具える携帯式マルチメディアプレーヤーにおいて、一つのマグレット変位装置を包含するので、マグネットの吸引力で上述パネルとベースを固定することを特徴とする２軸の電気回転構造を具える携帯式マルチメディアプレーヤーとしている。
請求項９の考案は、請求項７に記載した２軸電気回転構造を具える携帯式マルチメディアプレーヤーにおいて、更に一つのテレビ受信モジュールを包含するので、無線テレビ信号を受信してから放送することを特徴とする２軸の電気回転構造を具える携帯式マルチメディアプレーヤーとしている。
請求項１０の考案は、請求項７に記載した２軸電気回転構造を具える携帯式マルチメディアプレーヤーにおいて、更に一定の時間を置くと、自動に携帯式マルチメディアプレーヤーの電源をオフする一つの省エネルギーを包含することを特徴とする２軸の電気回転構造を具える携帯式マルチメディアプレーヤーとしている。